(57)【要約】      （修正有）【課題】ユーザが横になって携帯型情報処理装置を使用する場合でも、ユーザを煩わせることなく、画面に適正な表示方向で表示することが可能な携帯型情報処理装置、その表示制御方法、及びコンピュータが実行可能なプログラムを提供する。【解決手段】少なくとも一方の面側に設けられた表示部１０を備えると共に、表示部１０の画面表示を回転させる画面回転機能を備えた携帯型情報処理装置１であって、表示部１０の画面の向きを検出する検出手段と、表示部１０の画面表示の回転を制御する制御手段と、を備える。制御手段は、表示部１０の画面表示を回転させる第１の動作モードによる制御と、当該第１の動作モードとは異なる第２の動作モードによる制御と、を表示部１０の画面の向きに応じて選択的に実行する。【選択図】図２
2017138843.tif 000002
【特許請求の範囲】
【請求項１】
少なくとも一方の面側に設けられた表示部を備えると共に、前記表示部の画面の向きに応じて前記表示部の画面表示を回転させる画面回転機能を備えた携帯型情報処理装置であって、
前記表示部の画面の向きを検出する検出手段と、
前記表示部の画面表示の回転を制御する制御手段と、
を備え、
前記制御手段は、前記表示部の画面表示を回転させる第１の動作モードによる制御と、当該第１の動作モードとは異なる第２の動作モードによる制御と、を前記表示部の画面の向きに応じて選択的に実行することを特徴とする携帯型情報処理装置。
【請求項２】
前記制御手段は、前記検出手段で前記表示部の画面が所定の向きであると検出された場合に、前記第２の動作モードを実行することを特徴とする請求項１に記載の携帯型情報処理装置。
【請求項３】
前記検出手段は、デカルト座標系において、前記表示部の画面に平行で、かつ、互いに直交する方向をそれぞれＸ、Ｙ軸方向とし、Ｘ軸方向及びＹ軸方向に直交する鉛直上向き方向をＺ軸方向とした場合に、Ｘ、Ｙ、Ｚ軸方向の加速度ｘ、ｙ、ｚを検出する加速度センサを含むことを特徴とする請求項１又は請求項２に記載の携帯型情報処理装置。
【請求項４】
前記検出手段は、前記加速度ｚが所定値より大きくなった場合に、前記表示部の画面が前記所定の向きであると判定することを特徴とする請求項３に記載の携帯型情報処理装置。
【請求項５】
前記第２の動作モードは、所定の条件において前記表示部の画面表示の回転を行わない動作を実行する状態を含むことを特徴とする請求項１〜請求項４のいずれか１つに記載の携帯型情報処理装置。
【請求項６】
前記第２の動作モードは、所定の条件において前記表示部の画面表示の回転を行わない動作を実行する状態と、前記所定の条件とは異なる条件おいて前記表示部の画面表示の回転を前記第１の動作モードと異なる回転で実行する状態と、を含むことを特徴とする請求項１〜請求項４のいずれか１つに記載の携帯型情報処理装置。
【請求項７】
前記第２の動作モードでは、前記加速度ｘ、ｙが第１の範囲にある場合は、前記表示部の画面表示の回転を行なわず、前記加速度ｘ、ｙが第２の範囲にある場合は、前記第１の動作モードに対して、オフセットを９０度として前記表示部の画面表示の回転を行ない、前記加速度ｘ、ｙが第３の範囲にある場合は、前記第１の動作モードに対して、オフセットを２７０度として前記表示部の画面表示の回転を行なうことを特徴とする請求項３又は請求項４に記載の携帯型情報処理装置。
【請求項８】
さらに、前記検出手段で前記表示部の画面が前記所定の向きであると検出された場合に、前記表示部の画面に、画面の向きが前記所定の向きである旨を表示するＵＩ通知手段を備えたことを特徴とする請求項１〜請求項７のいずれか１つに記載の携帯型情報処理装置。
【請求項９】
さらに、前記第２の動作モードを実行している場合に、前記表示部の画面に、前記第２の動作モードを実行している旨を表示するＵＩ通知手段を備えたことを特徴とする請求項１〜請求項８のいずれか１つに記載の携帯型情報処理装置。
【請求項１０】
さらに、付加機能部を備え、
前記制御手段は、前記付加機能部による付加機能の実行中である場合は、前記第２の動作モードを実行しないことを特徴とする請求項１〜請求項９のいずれか１つに記載の携帯型情報処理装置。
【請求項１１】
携帯型情報処理装置であって、
少なくとも一方の面側に設けられた表示部と、
前記表示部の画面表示を回転させる第１の回転動作モードによる制御と、当該第１の回転動作モードとは異なる回転動作で前記表示部の画面表示を回転させる第２の回転動作モードによる制御と、を選択的に実行する制御手段と、
を備えたことを特徴とする携帯型情報処理装置。
【請求項１２】
前記制御手段は、前記第２の回転動作モードによる制御のユーザによる選択を受け付けたときに、第１の回転動作モードによる制御を禁止して、前記第２の回転動作モードによって前記表示部の画面表示を回転制御することを特徴とする請求項１１に記載の携帯型情報処理装置。
【請求項１３】
前記第２の回転動作モードによる制御を実行している場合に、前記第２の回転動作モードによって前記表示部の画面表示を回転制御している旨を前記表示部の画面に表示するＵＩ通知手段を備えたことを特徴とする請求項１１又は請求項１２に記載の携帯型情報処理装置。
【請求項１４】
少なくとも一方の面側に設けられた表示部を備えると共に、前記表示部の画面の向きに応じて前記表示部の画面表示を回転させる画面回転機能を備えた携帯型情報処理装置の表示制御方法であって、
前記表示部の画面の向きを検出する工程と、
前記表示部の画面表示の回転を制御する工程と、
を含み、
前記制御する工程では、前記表示部の画面表示を回転させる第１の動作モードによる制御と、当該第１の動作モードとは異なる第２の動作モードによる制御と、を前記表示部の画面の向きに応じて選択的に実行することを特徴とする携帯型情報処理装置の表示制御方法。
【請求項１５】
少なくとも一方の面側に設けられた表示部を備えると共に、前記表示部の画面の向きに応じて前記表示部の画面表示を回転させる画面回転機能を備えた携帯型情報処理装置に搭載されるプログラムであって、
前記表示部の画面の向きを検出する工程と、
前記表示部の画面表示の回転を制御する工程と、
をコンピュータに実行させ、
前記制御する工程では、前記表示部の画面表示を回転させる第１の動作モードによる制御と、当該第１の動作モードとは異なる第２の動作モードによる制御と、を前記表示部の画面の向きに応じて選択的に実行することを特徴とするコンピュータが実行可能なプログラム。
【発明の詳細な説明】
【技術分野】
【０００１】
本発明は、携帯型情報処理装置、その表示制御方法、およびコンピュータが実行可能なプログラムに関する。
【背景技術】
【０００２】
近年、タブレットやスマートフォン等の携帯型情報処理装置が広く使用されている。かかる携帯型情報処理装置では、ディスプレイに情報を見易く表示するために、画面回転機能を有するものが多い。ここで、画面回転機能とは、表示情報の上下方向がディスプレイの長辺と平行になる縦表示を行うか、表示情報の上下方向がディスプレイの短辺と平行になる横表示を行うかを、携帯型情報処理装置のディスプレイの向きに応じて自動的に切り換える機能である。例えば、携帯型情報処理装置が縦持ちされている場合は縦表示を行い、横持ちされている場合は、横表示を行うことができる。
【０００３】
また、かかる携帯型情報処理装置は、画面回転機能を無効として画面表示の回転をロックする画面ロック機能を備えたものもある。画面ロック機能を有効とした場合は、画面表示の回転が行われず、画面ロック機能を無効とした場合は、画面の回転が行われる。ユーザは、ＵＩを操作して、画面ロック機能の有効／無効を設定することが可能となっている。
【先行技術文献】
【特許文献】
【０００４】
【特許文献１】特開２０１２−５８８４７号公報
【発明の概要】
【発明が解決しようとする課題】
【０００５】
しかしながら、画面回転機能を有効にした状態で、ユーザが横になって（寝転がって）携帯型情報処理装置を使用する場合は、画面の表示方向がユーザにとって望ましくないものとなる場合がある。図１３は、ユーザが横になって携帯型情報処理装置を使用する場合の画面の表示方向を説明するための図である。図１３において、例えば、２０１に示すように、ユーザが体を仰向けにして、携帯型情報処理装置の画面を下にして横表示で見ているものとする。この状態からユーザが体の向きを横向きに変更し、この体の向きに合わせて携帯型情報処理装置を回転させると、２０２に示すように、画面表示が回転して縦表示となってしまうため、ユーザにとって見にくいものとなってしまう。
【０００６】
この回転を防止するためには、ユーザがＵＩを操作して、画面ロック機能を有効にする必要がある。しかしながら、ユーザが体を起こした状態で使用する場合は、画面ロック機能を無効に、体を横にした状態で使用する場合は、画面ロック機能を有効にというように、ユーザが、その都度、ＵＩを操作して切り替えるのはユーザにとって煩わしい操作となる。
【０００７】
本発明は、上記に鑑みてなされたものであり、ユーザが横になって携帯型情報処理装置を使用する場合でも、ユーザを煩わせることなく、画面に適正な表示方向で情報を表示することが可能な携帯型情報処理装置、その表示制御方法、及びコンピュータが実行可能なプログラムを提供することを目的とする。
【課題を解決するための手段】
【０００８】
上述した課題を解決し、目的を達成するために、本発明は、少なくとも一方の面側に設けられた表示部を備えると共に、前記表示部の画面の向きに応じて前記表示部の画面表示を回転させる画面回転機能を備えた携帯型情報処理装置であって、前記表示部の画面の向きを検出する検出手段と、前記表示部の画面表示の回転を制御する制御手段と、を備え、前記制御手段は、前記表示部の画面表示を回転させる第１の動作モードによる制御と、当該第１の動作モードとは異なる第２の動作モードによる制御と、を前記表示部の画面の向きに応じて選択的に実行することを特徴とする。
【０００９】
また、本発明の好ましい態様によれば、前記制御手段は、前記検出手段で前記表示部の画面が所定の向きであると検出された場合に、前記第２の動作モードを実行することが望ましい。
【００１０】
また、本発明の好ましい態様によれば、前記検出手段は、デカルト座標系において、前記表示部の画面に平行で、かつ、互いに直交する方向をそれぞれＸ、Ｙ軸方向とし、Ｘ軸方向及びＹ軸方向に直交する鉛直上向き方向をＺ軸方向とした場合に、Ｘ、Ｙ、Ｚ軸方向の加速度ｘ、ｙ、ｚを検出する加速度センサを含むことが望ましい。
【００１１】
また、本発明の好ましい態様によれば、前記検出手段は、前記加速度ｚが所定値より大きくなった場合に、前記表示部の画面が前記所定の向きであると判定することが望ましい。
【００１２】
また、本発明の好ましい態様によれば、前記第２の動作モードは、所定の条件において前記表示部の画面表示の回転を行わない動作を実行する状態を含むことが望ましい。
【００１３】
また、本発明の好ましい態様によれば、前記第２の動作モードは、所定の条件において前記表示部の画面表示の回転を行わない動作を実行する状態と、前記所定の条件とは異なる条件おいて前記表示部の画面表示の回転を前記第１の動作モードと異なる回転で実行する状態と、を含むことが望ましい。
【００１４】
また、本発明の好ましい態様によれば、前記第２の動作モードでは、前記加速度ｘ、ｙが第１の範囲にある場合は、前記表示部の画面表示の回転を行なわず、前記加速度ｘ、ｙが第２の範囲にある場合は、前記第１の動作モードに対して、オフセットを９０度として前記表示部の画面表示の回転を行ない、前記加速度ｘ、ｙが第３の範囲にある場合は、前記第１の動作モードに対して、オフセットを２７０度として前記表示部の画面表示の回転を行なうことが望ましい。
【００１５】
また、本発明の好ましい態様によれば、さらに、前記検出手段で前記表示部の画面が前記所定の向きであると検出された場合に、前記表示部の画面に、画面の向きが前記所定の向きである旨を表示するＵＩ通知手段を備えることが望ましい。
【００１６】
また、本発明の好ましい態様によれば、さらに、前記第２の動作モードを実行している場合に、前記表示部の画面に、前記第２の動作モードを実行している旨を表示するＵＩ通知手段を備えることが望ましい。
【００１７】
また、本発明の好ましい態様によれば、さらに、付加機能部を備え、前記制御手段は、前記付加機能部による付加機能の実行中である場合は、前記第２の動作モードを実行しないことが望ましい。
【００１８】
また、上述した課題を解決し、目的を達成するために、本発明は、少なくとも一方の面側に設けられた表示部と、前記表示部の画面表示を回転させる第１の回転動作モードによる制御と、当該第１の回転動作モードとは異なる回転動作で前記表示部の画面表示を回転させる第２の回転動作モードによる制御と、を選択的に実行する制御手段と、を備えたことを特徴とする。
【００１９】
また、本発明の好ましい態様によれば、前記制御手段は、前記第２の回転動作モードによる制御のユーザによる選択を受け付けたときに、第１の回転動作モードによる制御を禁止して、前記第２の回転動作モードによって前記表示部の画面表示を回転制御することが望ましい。
【００２０】
また、本発明の好ましい態様によれば、前記第２の回転動作モードによる制御を実行している場合に、前記第２の回転動作モードによって前記表示部の画面表示を回転制御している旨を前記表示部の画面に表示するＵＩ通知手段を備えることが望ましい。
【００２１】
また、上述した課題を解決し、目的を達成するために、本発明は、少なくとも一方の面側に設けられた表示部を備えると共に、前記表示部の画面の向きに応じて前記表示部の画面表示を回転させる画面回転機能を備えた携帯型情報処理装置の表示制御方法であって、前記表示部の画面の向きを検出する工程と、前記表示部の画面表示の回転を制御する工程と、を含み、前記制御する工程では、前記表示部の画面表示を回転させる第１の動作モードによる制御と、当該第１の動作モードとは異なる第２の動作モードによる制御と、を前記表示部の画面の向きに応じて選択的に実行することを特徴とする。
【００２２】
また、上述した課題を解決し、目的を達成するために、本発明は、少なくとも一方の面側に設けられた表示部を備えると共に、前記表示部の画面の向きに応じて前記表示部の画面表示を回転させる画面回転機能を備えた携帯型情報処理装置に搭載されるプログラムであって、前記表示部の画面の向きを検出する工程と、前記表示部の画面表示の回転を制御する工程と、をコンピュータに実行させ、前記制御する工程では、前記表示部の画面表示を回転させる第１の動作モードによる制御と、当該第１の動作モードとは異なる第２の動作モードによる制御と、を前記表示部の画面の向きに応じて選択的に実行することを特徴とする。
【発明の効果】
【００２３】
本発明によれば、ユーザが横になって携帯型情報処理装置を使用する場合でも、ユーザを煩わせることなく、画面に適正な表示方向で情報を表示することが可能な携帯型情報処理装置、を提供することが可能になるという効果を奏する。
【図面の簡単な説明】
【００２４】
【図１】図１は、実施の形態に係る携帯型情報処理装置の模式図である。
【図２】図２は、第２のモードの第１の例を説明するための説明図である。
【図３】図３は、第２のモードの第２の例を説明するための説明図である。
【図４−Ａ】図４−Ａは、実施例に係る携帯型情報処理装置の外観を示す斜視図である。
【図４−Ｂ】図４−Ｂは、実施例に係る携帯型情報処理装置の外観を示す前面図である。
【図４−Ｃ】図４−Ｃは、実施例に係る携帯型情報処理装置の外観を示す背面図である。
【図４−Ｄ】図４−Ｄは、実施例に係る携帯型情報処理装置の外観を示す斜視図である。
【図５】図５は、実施例に係る携帯型情報処理装置の概略のブロック図である。
【図６】図６は、タッチ表示部の画面表示の回転方向を説明するための図である。
【図７】図７は、タッチ表示部に表示する設定画面の一例を示す図である。
【図８】図８は、寝モバモードを実行中に、タッチ表示部に表示する画面の一例を示す図である。
【図９−Ａ】図９−Ａは、寝モバモードを実行する際に、タッチ表示部に表示する画面の一例を示す図である。
【図９−Ｂ】図９−Ｂは、寝モバモードを実行する際に、タッチ表示部に表示する画面の他の例を示す図である。
【図１０】図１０は、制御部により実行されるタッチ表示部の画面の表示の回転に関する処理の一例を説明するためのフローチャートである。
【図１１】図１１は、ノーマルモードと寝モバモード間の状態遷移を説明するための説明図である。
【図１２−Ａ】図１２−Ａは、ノーマルモードと寝モバモードの画面表示の回転を説明するための図である。
【図１２−Ｂ】図１２−Ｂは、ノーマルモードと寝モバモードの画面表示の回転を説明するための図である。
【図１３】図１３は、ユーザが横になって携帯型情報処理装置を使用する場合の画面の表示方向を説明するための図である。
【発明を実施するための形態】
【００２５】
以下、本実施の形態に係る携帯型情報処理装置、その表示制御方法、およびコンピュータが実行可能なプログラムの実施の形態について説明する。本発明の構成要素は、本明細書の図面に一般に示してあるが、様々な構成で広く多様に配置し設計してもよいことは容易に理解できる。したがって、本発明の装置、方法、及びプログラムの実施の形態についての以下のより詳細な説明は、特許請求の範囲に示す本発明の範囲を限定するものではなく、単に本発明の選択した実施の形態の一例を示すものであって、本明細書の特許請求の範囲に示す本発明と矛盾無く装置、システム及び方法についての選択した実施の形態を単に示すものである。当業者は、特定の細目の１つ以上が無くても、又は他の方法、部品、材料でも本発明を実現できることが理解できる。
【００２６】
（実施の形態）
図１は、実施の形態に係る携帯型情報処理装置の模式図である。本実施の形態に係る携帯型情報処理装置は、例えば、片手又は両手で把持可能な、タブレット、スマートフォン、携帯電話端末、及びゲーム機等である。図１に示すように、携帯型情報処理装置１は、少なくとも一方の面側に設けられた表示部１０を備えると共に、表示部１０の画面の向きに応じて、表示部１０の画面の表示を回転させる画面回転機能を備えており、表示部１０の画面の向き（携帯型情報処理装置１の姿勢）を検出する検出手段１２と、表示部１０の画面表示の回転を制御する制御手段１３を備えている。
【００２７】
制御手段１３は、携帯型情報処理装置１の全体の動作を制御する。制御手段１３は、表示部１０の画面表示を回転させる第１のモードによる制御と、第１のモードとは異なる第２のモードによる制御とを含む制御とを、表示部１０の画面の向きに応じて選択的に実行する。例えば、制御手段１３は、検出手段１２で表示部１０の画面が上向きであると検出された場合に、第１のモードを実行し、検出手段１２で表示部１０の画面が所定の向き（例えば、下向き、すなわち重力方向）であると検出された場合に、第２のモードを実行する。
【００２８】
表示部１０は、例えば、ＬＣＤ、有機ＥＬデバイス等の表示デバイスで構成することができる。また、表示部１０は、表示デバイスとタッチセンサ等のタッチ入力デバイスとで構成されたタッチパネル表示部で構成してもよい。
【００２９】
検出手段１２は、デカルト座標系において、表示部１０の画面に平行で、かつ、互いに直交する方向をそれぞれＸ、Ｙ軸方向とし、Ｘ軸方向及びＹ軸方向に直交する鉛直上向き方向をＺ軸方向とした場合に、Ｘ、Ｙ、Ｚ軸方向の加速度ｘ、ｙ、ｚを検出する加速度センサを含むことにしてもよい。また、検出手段１２は、加速度ｚが第１の所定値より大きくなった場合に、表示部１０の画面が下向きであると判定することにしてもよい。また、検出手段１２は、加速度ｚが第２の所定値（但し、第１の所定値＞第２の所定値）より小さくなった場合に、表示部１０の画面が上向きであると判定してもよい。
【００３０】
第２のモードの第１の例では、表示部１０の画面表示の回転を行わないことにしてもよい。図２は、制御手段１３により実行される第２のモードの第１の例を説明するための説明図である。図２において、制御手段１３は、表示部１０の画面が上向きである場合（Ｓ２）には、第１のモードを実行し、表示部１０の画面の向きに応じて、画面を回転させる（画面回転ロックを解除）。また、制御手段１３は、表示部１０の画面が下向きである場合（Ｓ２）には、表示部１０の画面の表示方向を維持し（画面回転ロック）、携帯型情報処理装置１を右又は左に回転させても表示部１０の画面表示を回転させない。
【００３１】
これにより、ユーザは、例えば、仰向けで寝ながら表示部１０の画面を下向きにして画面を見ている場合に、寝ながら右又は左に体の向きを変えて、携帯型情報処理装置１を右又は左に回転させても、表示部１０の画面の向きが変わらないため、ユーザは煩わしい操作をしなくても（ＵＩで画面回転ロックのＯＮ／ＯＦＦを切り替えなくても）、ユーザにとって好適な表示方向で画面を見ることが可能となる。
【００３２】
第２のモードの第２の例では、所定の条件において表示部１０の画面表示の回転を行わない第１の状態と、他の所定の条件において表示部１０の画面表示の回転を第１のモードと異なる回転を行う第２の状態と、さらに他の所定の条件において表示部１０の画面表示の回転を第１のモードや第２の状態と異なる回転を行う第３の状態とを備えていてもよい。例えば、加速度ｘ、ｙが第１の範囲にある場合は、表示部１０の画面表示の回転を行わない第１の状態と、加速度ｘ、ｙが第２の範囲にある場合は、第１のモードに対して、オフセットを９０度として表示部１０の画面表示の回転を行なう第２の状態と、加速度ｘ、ｙが第３の範囲にある場合は、第１のモードに対して、オフセットを２７０度として表示部１０の画面表示の回転を行う第３の状態とを備えていてもよい。
【００３３】
図３は、制御手段１３により実行される第２のモードの第２の例を説明するための説明図である。図３において、制御手段１３は、表示部１０の画面が上向きである場合には、第１のモードを実行し、表示部１０の画面の向きに応じて、画面表示を回転させる。また、制御手段１３は、表示部１０の画面が下向きである場合には、第２のモードを実行する。制御手段１３は、第２のモードにおいて、加速度ｘ、ｙが第１の範囲にある場合は、表示部１０の画面表示の回転を行わない第１の状態に移行し、加速度ｘ、ｙが第２の範囲にある場合は、第１のモードに対して、オフセットを９０度として表示部１０の画面表示の回転を行なう第２の状態に移行し、加速度ｘ、ｙが第３の範囲にある場合は、第１のモードに対して、オフセットを２７０度として表示部１０の画面表示の回転を行う第３の状態に移行する。
【００３４】
これにより、ユーザは、体を仰向けにした状態及び体を右又は左向きにした状態で寝たままで画面を見る場合に、ユーザの頭を上とした方向に沿って情報を表示することができ、ユーザは煩わしい操作をしなくても、ユーザにとって好適な表示方向で画面を見ることが可能となる。
【００３５】
図１に戻り、携帯型情報処理装置１は、検出手段１２で表示部１０の画面が下向きであると検出された場合に、表示部１０の画面に、画面が下向きである旨を表示するＵＩ通知手段１４を備えていてもよい（図９−Ａ参照）。
【００３６】
また、ＵＩ通知手段１４は、検出手段１２で表示部１０の画面が下向きであると検出された場合に、表示部１０の画面に、画面が下向きである旨を表示すると共に、第２のモードを実行するか否かをユーザに確認するメッセージを表示してもよい（図９−Ｂ参照）。
【００３７】
また、ＵＩ通知手段１４は、第２のモードを実行している場合に、表示部１０の画面に第２のモードを実行している旨をアイコン等で表示してもよい（図８参照）。
【００３８】
また、携帯型情報処理装置１は、ユーザが特定の付加的な機能を実行するために携帯型情報処理装置１を操作したことを検出したことを条件に、第２のモードを実行しないように制御してもよい。例えば、被写体を撮影して画像データを入力するカメラ１５を付加機能として備えていている場合に、制御手段１３は、カメラ１５が起動されたことを、カメラ１５をコントロールするアプリケーションソフトウェアの実行によって検出し、カメラ１５が起動している場合は、表示部１０の画面が下向きになっても、第２のモードを実行しないことにしてもよい。これは、ユーザがカメラ１５を使用している場合は、携帯型情報処理装置１を回転させながら被写体を所望の表示方向で撮影したい場合が多いためである。第２のモードを実行しない付加機能の例としては、被写体の撮影以外にも、水準器による垂直水平の検出や、充電装置との接続を検出したときの充電操作等がある。
【００３９】
検出手段１２、制御手段１３、及びＵＩ通知手段１４は、ハードウェアやソフトウェア（ＯＳ、ＡＰＩ、サービス、ユーティリティ、ライブラリ、ドライバ、及びアプリケーション等のプログラム）のモジュール、又は、その組み合わせで構成することができる。また、コンピュータがプログラムを実行することにより、検出手段１２、制御手段１３、及びＵＩ通知手段１４の機能を実現することにしてもよい。
【００４０】
本実施の形態によれば、少なくとも一方の面側に設けられた表示部１０を備えると共に、表示部１０の画面の向きに応じて表示部１０の画面表示を回転させる画面回転機能を備えた携帯型情報処理装置１であって、表示部１０の画面の向きを検出する検出手段１２と、表示部１０の画面表示の回転を制御する制御手段１３と、を備え、制御手段１３は、表示部１０の画面表示を回転させる第１のモードによる制御と、当該第１のモードとは異なる第２のモードによる制御と、を表示部１０の画面の向きに応じて選択的に実行することにしたので、ユーザが横になって携帯型情報処理装置を使用する場合でも、ユーザを煩わせることなく、画面に適正な表示方向で情報を表示することが可能となる。
【００４１】
また、本実施の形態によれば、制御手段１３は、検出手段１２で表示部１０の画面が所定の向き（例えば、下向き）であると検出された場合に、第２のモードを実行することとしたので、表示部１０の画面が所定の向きである場合に、第２のモードを実行することが可能となる。
【００４２】
また、本実施の形態によれば、検出手段１２は、デカルト座標系において、表示部１０の画面に平行で、かつ、互いに直交する方向をそれぞれＸ、Ｙ軸方向とし、Ｘ軸方向及びＹ軸方向に直交する鉛直上向き方向をＺ軸方向とした場合に、Ｘ、Ｙ、Ｚ軸方向の加速度ｘ、ｙ、ｚを検出する加速度センサを含むことにしたので、簡単な構成で表示部の画面の向きを検出することが可能となる。
【００４３】
また、本実施の形態によれば、検出手段１２は、加速度ｚが所定値より大きくなった場合に、表示部１０の画面が上述の所定の向きであると判定することにしたので、表示部の画面が下向きであることを簡単に検出することが可能となる。
【００４４】
また、本実施の形態によれば、第２のモードでは、表示部の画面表示の回転を行わないこととしたので、ユーザが横になって寝たままで表示部の画面を見る場合に、ユーザは煩わしい操作をしなくても、ユーザにとって好適な表示方向で画面を見ることが可能となる。
【００４５】
また、本実施の形態によれば、第２のモードでは、加速度ｘ、ｙが第１の範囲にある場合は、表示部１０の画面表示の回転を行わず、加速度ｘ、ｙが第２の範囲にある場合は、通常の動作に対して、オフセットを９０度として表示部の画面表示の回転を行ない、加速度ｘ、ｙが第３の範囲にある場合は、通常の動作に対して、オフセットを２７０度として表示部１０の画面表示の回転を行なうこととしたので、ユーザが体を仰向けにした状態及び体を右又は左向きにした状態で寝たままで表示部の画面を見る場合に、ユーザは煩わしい操作をしなくても、ユーザにとって好適な表示方向で画面を見ることが可能となる。
【００４６】
また、本実施の形態によれば、ＵＩ通知手段１４は、検出手段１２で表示部１０の画面が上述の所定の向きであると検出された場合に、表示部１０の画面に、画面の向きが所定の向きである旨を通知することとしたので、ユーザに画面が所定の向きとなったことを通知することが可能となる。
【００４７】
また、本実施の形態によれば、ＵＩ通知手段１４は、第２のモードを実行している場合に、表示部１０の画面に第２のモードを実行している旨を表示することとしたので、ユーザに第２のモードを実行していることを通知することが可能となる。
【００４８】
また、本実施の形態によれば、制御手段１３は、カメラ１５等の特定の付加的な機能が実行されている場合は、第２のモードを実行しないこととしたので、ユーザによるカメラ１５等の特定の付加的な機能の操作の邪魔にならないようにすることが可能となる。
【００４９】
また、上述の実施の形態では、第１のモードによる制御と第２のモードによる制御とを含む制御を、表示部１０の画面の向きに応じて選択的に実行しているが、ユーザの選択に応じて第１のモードによる制御と第２のモードによる制御とを選択的に実行してもよい。例えば、表示部１０に表示させた選択ボタンへのユーザの選択操作を受け付けて、この選択操作にしたがって第１のモードによる制御と第２のモードによる制御とを、選択的に制御するようにしてもよい。又は、携帯型情報処理装置１の位置を検出して、この検出した位置に応じて、第１のモードによる制御と第２のモードによる制御とを選択的に実行してもよい。例えば、携帯型情報処理装置１の位置をＧＰＳやビーコンのような位置検出手段で検出したり、他の機器との相対位置を近接センサで検出したり、ユーザ（すなわち携帯型情報処理装置１）の位置をカメラで検出したりすることで検出し、検出した位置に応じて、第１のモードによる制御と第２のモードによる制御とを選択的に実行してもよい。
【００５０】
（実施例）
図４−図１２−Ｂを参照して、上記実施の形態に係る携帯型情報処理装置を、タブレットに適用した一実施例を説明する。図４−Ａは、実施例に係る携帯型情報処理装置の外観を示す斜視図である。図４−Ｂは、実施例に係る携帯型情報処理装置の外観を示す前面図（ｚ＝−１．０の場合）である。図４−Ｃは、実施例に係る携帯型情報処理装置の外観を示す背面図（ｚ＝１．０の場合）である。図４−Ｄは、実施例に係る携帯型情報処理装置の外観を示す斜視図（ｚ＝０の場合）である。実施例に係る携帯型情報処理装置は、片手又は両手で把持できる程度のサイズとなっている。
【００５１】
図４−Ａ〜図４−Ｄに示すように、実施例にかかる携帯型情報処理装置２０は、略長方体形状の筐体２１を備えている。筐体２１の表面のうち一方側の面を前面２１Ａ、前面２１Ａに対向する他方側の面を背面２１Ｂ、筐体２１の表面のうち前面２１Ａと背面２１Ｂに挟まれた面を側面とする。携帯型情報処理装置２０は、筐体２１の前面２１Ａの略中央に、タッチセンサ２２Ａ及び表示部２２Ｂで構成されるタッチ表示部２２が配置されている。
【００５２】
タッチ表示部２２は、文字、図形、画像等の情報を表示するとともに、指、スタイラス、ペン等（以下、「指示体」と称する）を用いてタッチセンサ２２Ａに対して行われる各種操作を検出する。タッチセンサ２２Ａが各種操作を検出する方式は、静電容量式、感圧式等の方式を採用することができる。表示部２２には、アイコン、バー、文字、及び画像等の各種情報が表示される。
【００５３】
また、筐体２１の前面２１Ａの上方に、カメラ２３が配置される。カメラ２３は、ユーザの操作に応じて撮像処理を実行し、画像データや動画データを生成する。筐体２１の内部には、各種電気部品や加速度センサ２４等のセンサが搭載される基板及びバッテリ等が収納されている。
【００５４】
図４−Ａにおいて、デカルト座標系に従い、タッチ表示部２２（前面２１Ａ）に対してその短手方向に平行な方向をＸ軸方向、タッチ表示部２２に対してその長手方向に平行でかつＸ軸方向に平行な方向をＹ軸方向、Ｘ軸方向及びＹ軸方向に垂直でタッチ表示部２２に対して鉛直方向上向きの方向をＺ軸方向とする。Ｘ軸方向の加速度をｘ、Ｙ軸方向の加速度をｙ、Ｚ軸方向の加速度をｚとし、以下、その単位（＝ｇ）の記載を省略する。加速度センサ２４は、加速度ｘ、ｙ、ｚを検出して制御部１００（図５参照）に出力する。携帯型情報処理装置２０が静止した状態では、ｘ＝−１．０〜１．０、ｙ＝−１．０〜１．０、ｚ＝−１．０〜１．０となる。
【００５５】
例えば、携帯型情報処理装置２０が図４−Ａに示すような姿勢の場合には、加速度センサ２４で検出されるｘ、ｙ、ｚは、ｘ＝−０．３０、ｙ＝−０．６０、ｚ＝−０．７５となる。図４−Ｂに示すように、例えば、携帯型情報処理装置２０のタッチ表示部２２（前面２１Ａ）を上にしてテーブル（地面）に置いた姿勢では、ｘ＝０．０、ｙ＝０．０、ｚ＝−１．０となる。また、図４−Ｃに示すように、例えば、携帯型情報処理装置２０の背面２１Ｂを上にして（タッチ表示部２２を下にして）テーブルに置いた姿勢では、ｘ＝０．０、ｙ＝０．０、ｚ＝１．０となる。図４−Ｄ  に示すように、地面に対して携帯型情報処理装置２０のＺ軸方向を平行にした状態で、少し左側に傾けた姿勢では、ｘ＝−０．３０、ｙ＝−０．９５、ｚ＝０．０となる。制御部１００（図５参照）は、加速度センサ２４のｘ、ｙ、ｚの検出結果に基づいて、タッチ表示部２２の画面表示を回転させる。
【００５６】
図５は、携帯型情報処理装置２０の概略のブロック図である。携帯型情報処理装置２０は、図５に示すように、タッチ表示部２２と、カメラ２３と、加速度センサ２４と、制御部１００と、メモリ１０１と、記憶部１０２と、通信部１０３と、電源部１０４と、を備えている。    
【００５７】
タッチ表示部２２は、表示部２２Ｂと、表示部２２Ｂに重畳されたタッチセンサ２２Ａとを有する。タッチセンサ２２Ｂは、指やペン等の指示体を用いてタッチセンサ２２Ａに対して行われた各種操作を、操作が行われた場所のタッチセンサ２２Ａ上での位置とともに検出し、制御部１００に通知する。タッチセンサ２２Ａによって検出される操作には、タッチ操作、スライド操作、及びピッチ操作が含まれる。表示部２２Ｂは、例えば、液晶ディスプレイ（ＬＣＤ：Liquid  Crystal  Display）や有機ＥＬ（Organic  Electro−Luminescence）パネルなどで構成され、制御部１００の制御に従って文字や画像等の情報を表示する。
【００５８】
カメラ２３は、被写体を撮像して得られる画像データを制御部１００に出力する。通信部１０３は、制御部１００の制御に従って、ネットワークを介して又は直接、無線又は有線で外部とデータ通信を行うためのものである。電源部１０４は、制御部１００の制御に従って、蓄電池又はＡＣアダプタから得られる電力を、制御部１００を含む携帯型情報処理装置２０の各部へ供給する。
【００５９】
加速度センサ２４は、Ｘ軸方向、Ｙ軸方向、及びＺ軸方向の加速度ｘ、ｙ、ｚを検出して、制御部１００に出力する。
【００６０】
メモリ１０１は、例えば、ＲＡＭやＤＲＡＭ等で構成されており、制御部１００によって実行されるプログラム、制御部１００が参照するデータ、制御部１００の演算結果等が一時的に記憶されるワークエリアとして使用される。    
【００６１】
記憶部１０２は、制御部１００によって実行されるプログラムやデータを保持するコンピュータで読み取り可能な記憶媒体であり、例えば、ＥＥＰＲＯＭ、フラッシュメモリ、及びＳＳＤ等の不揮発性メモリである。記憶部１０２は、例えば、携帯型情報処理装置２０全体の制御を行うためのＯＳ、周辺機器類をハードウェア操作するための各種デバイスドライバ、カメラアプリ、メールアプリ、ブラウザアプリ、電子書籍閲覧用アプリ等の各種アプリを記憶する機能を有する。各種デバイスドライバ及び各種アプリ間のデータの転送には全てＯＳが介在する。
【００６２】
制御部１００は、例えば、ＣＰＵ（Central  Processing  Unit）、マイクロプロセッサ、ＤＳＰ等であり、携帯型情報処理装置２０の動作を統括的に制御して各種の機能を実現する。具体的には、制御部１００は、記憶部１０２に記憶されているデータやメモリ１０１に展開したデータを必要に応じて参照しつつ、記憶部１０２に記憶されているプログラムに含まれる命令を実行して、通信機能、入力機能、カメラ機能、メール機能、Ｗｅｂブラウジング機能、及び表示機能（画面表示の回転機能を含む）等の各種機能を実現する。
【００６３】
また、制御部１００は、加速度センサ２４の加速度ｘ、ｙ、ｚの検出結果に基づいて、タッチ表示部２２の画面表示の回転を制御する。以下、制御部１００によるタッチ表示部２２の画面表示を回転させる処理について詳細に説明する。
【００６４】
図６は、タッチ表示部２２の画面の表示方向を説明するための図である。図６において、携帯型情報処理装置２０のカメラ２３が配置されている方向を上方向とし、タッチ表示部２２の長辺と平行に情報を表示する場合を縦方向表示、タッチ表示部２２の短辺と平行に情報を表示する場合を横方向表示と規定する。図６（Ａ）に示すように、カメラ２３が配置されている方向を上として、縦方向に表示する場合を「上向き表示（上向き縦表示）」とする。図６（Ｂ）に示すように、上向き表示から時計回りに９０度回転させた場合を「右向き表示（右向き横表示）」とする。図６（Ｃ）に示すように、上向き表示から時計回りに１８０度回転させた場合を「下向き表示（下向き縦表示）」とする。図６（Ｄ）に示すように、上向き表示から時計回りに２７０度回転させた場合を「左向き表示（左向き横表示）」とする。
【００６５】
制御部１００は、タッチ表示部２２の画面の向きに応じて、タッチ表示部２２の画面の表示を回転させるノーマルモード（第１のモード）と、タッチ表示部２２の画面が下向きになった場合に、ノーマルモードと異なる動作を行う第２のモードと、を切り替える。第２のモードは、例えば、ユーザが寝た姿勢で携帯型情報処理装置２０を操作するのに適したモードである（以下、「寝モバモード」と称する。）。寝モバモードは、ユーザが横になった状態（寝転がった状態）で携帯型情報処理装置２０を使用する場合に、ユーザを煩わせることなく、画面に適正な表示方向で情報を表示するためのモードである。以下に説明する状態遷移や画面表示の回転で使用する加速度ｘ、ｙ、ｚの値（閾値）は一例であり、ヒステリシスやトレランスを考慮して、加速度ｘ、ｙ、ｚの値を設定してもよい。
【００６６】
制御部１００は、加速度ｚに基づいて、ノーマルモードと寝モバモードを切り替え、加速度ｘ、ｙに基づいて、ノーマルモード及び寝モバモードにおける画面表示の回転を行う。制御部１００は、加速度センサ２４で検出される加速度ｚが第１の所定値より大きくなった場合に（例えば、ｚ＞０．７）、タッチ表示部２２の画面が下向きになったと判断することができる。
【００６７】
また、制御部１００は、加速度センサ２４で検出される加速度ｚが第２の所定値より小さくなった場合に（例えば、ｚ＜−０．３）、タッチ表示部２２の画面が上向きになったと判断することができる。
【００６８】
制御部１００は、タッチ表示部２２の画面が下向きになった場合は、寝モバモードを実行し、タッチ表示部２２の画面が上向きになった場合は、ノーマルモードを実行してもよい。また、寝モバモードは、さらに、３つのモード（３つの状態）を有する。
【００６９】
ｘ、ｙが第１の範囲（上向き表示の場合に−０．６≦ｘ≦０．６、右向き表示の場合に−０．６≦ｙ≦０．６、下向き表示の場合に−０．６≦ｘ≦０．６、左向き表示の場合に−０．６≦ｙ≦０．６）にある場合を、準備モード（第１の状態）とする。ｘ、ｙが第２の範囲（上向き表示の場合にｘ＞０．６、右向き表示の場合にｙ＜−０．６、下向き表示の場合にｘ＜−０．６、左向き表示の場合にｙ＞０．６）にある場合を右向きモード（第２の状態）とする。ｘ、ｙが第３の範囲（上向き表示の場合にｘ＜−０．６、右向き表示の場合にｙ＞０．６、下向き表示の場合にｘ＞０．６、左向き表示の場合にｙ＜−０．６）にある場合を左向きモード（第３の状態）とする。
【００７０】
制御部１００は、準備モードでは、画面の表示の回転を行わず、右向きモードでは、ノーマルモードに対してオフセットを９０度として回転させ、左向きモードでは、ノーマルモードに対してオフセットを２７０度として回転させる。
【００７１】
図７〜図９−Ｂは、寝モバモードに関して、制御部１００がタッチ表示部２２に表示する画面の表示例の一例を示す図である。
【００７２】
図７は、制御部１００がタッチ表示部２２に表示する設定画面の一例を示す図である。同図に示す設定画面では、ユーザは寝モバモードのＯＮ／ＯＦＦと、画面の回転ロックのＯＮ／ＯＦＦを、画面に表示された選択ボタンによって設定することができる。制御部１００は、回転ロックがＯＮに設定されている場合は、タッチ表示部２２の画面の表示の回転を禁止して回転させない。制御部１００は、回転ロックがＯＦＦに設定されている場合は、ノーマルモード又は寝モバモードを実行する。なお、設定画面に、ユーザの選択によって、常時寝モバモードを実行させる選択ボタンを別途設けるようにしてもよい。この選択ボタンで常時寝モバモードでの制御が選択されたことを検出した場合には、ノーマルモードでの制御を禁止して、常に、寝モバモードを実行する。
【００７３】
制御部１００は、回転ロックがＯＦＦに設定されている場合において、寝モバモードのＯＦＦが設定されている場合は、ノーマルモードを実行する。制御部１００は、回転ロックがＯＦＦに設定されている場合において、寝モバモードのＯＮが設定されている場合は、タッチ表示部２２の画面が上向きである場合は、ノーマルモードを実行し、タッチ表示部２２の画面が下向きである場合は、寝モバモードを実行する。
【００７４】
図８は、寝モバモードを実行中に、制御部１００がタッチ表示部２２に表示する画面の一例を示す図である。制御部１００は、例えば、図８に示すように、寝モバモードを実行している場合は、寝モバモードを実行中である旨をタッチ表示部２２の画面に表示してもよい。図８に示す例では、寝モバモードを実行中である旨を示すアイコン２５が表示されている。
【００７５】
図９−Ａは、寝モバモードを実行する際に、制御部１００がタッチ表示部２２に表示する画面の一例を示す図である。制御部１００は、例えば、図９−Ａに示すように、タッチ表示部２２の画面が下向きになった場合は、タッチ表示部２２の画面が下向きになった旨を表示してもよい。図９−Ａに示す例では、「画面の下向きを検出しました。寝モバモードを実行します」と表示されている。
【００７６】
図９−Ｂは、寝モバモードを実行する際に、制御部１００がタッチ表示部２２に表示する画面の他の例を示す図である。制御部１００は、例えば、図９−Ｂに示すように、タッチ表示部２２の画面が下向きになった場合は、その旨を表示すると共に、寝モバモードを実行するか否かをユーザに確認するメッセージを表示してもよい。図９−Ｂに示す例では、「画面の下向きを検出しました。寝モバモードを実行しますか？」というメッセージと、ユーザが寝モバモードを実行するか否かを選択するための「Ｙｅｓ」と「Ｎｏ」のボタンが表示されている。制御部１００は、ユーザにより「Ｙｅｓ」ボタンが選択された場合は、寝モバモードを実行し、ユーザにより「Ｙｅｓ」ボタンが選択された場合は、寝モバモードを実行しないで、ノーマルモードを実行することができる。
【００７７】
図１０〜図１２を参照して、寝モバモードの詳細な処理を説明する。図１０は、制御部１００により実行されるタッチ表示部２２の画面表示の回転に関する処理の一例を説明するためのフローチャートである。図１１は、ノーマルモードと寝モバモード間の状態遷移を説明するための説明図、図１２−Ａ及び図１２−Ｂは、ノーマルモードと寝モバモードの画面の表示の回転を説明するための図である。
【００７８】
図１０において、図７で示した設定画面で寝モバモードのＯＮ、画面の回転ロックのＯＯＦＦを設定されている場合において、最初にノーマルモードにある場合を例として説明する。
【００７９】
図１０において、まず、ノーマルモードでは、制御部１００は、ｙ＜−０．７の場合は、上向き表示に回転、ｘ＜−０．７の場合は右向き表示に回転、ｙ＞０．７の場合は下向き表示に回転、ｙ＞０．７の場合は左向き表示に回転させる（ステップＳ１１）。
【００８０】
次に、制御部１００は、ｚ＞０．７であるか否かを判断し（ステップＳ１２）、ｚ＞０．７でない場合には（ステップＳ１２の「Ｎｏ」）、ステップＳ１１に戻り、ノーマルモードを維持し、ｚ＞０．７である場合には（ステップＳ１２の「Ｙｅｓ」）、寝モバモードの準備モードに移行する（ステップＳ１３）。
【００８１】
制御部１００は、寝モバモードの準備モードでは、画面表示の回転を行わない。次に、制御部１００は、ｚ＜−０．３であるか否かを判断し（ステップＳ１４）、ｚ＜−０．３の場合には（ステップＳ１４の「Ｙｅｓ」）、ステップＳ１１に戻り、ノーマルモードに移行する。他方、ｚ＜−０．３でない場合は（ステップＳ１４の「Ｎｏ」）、制御部１００は、上向き表示の場合にｘ＞０．６、右向き表示の場合にｙ＜−０．６、下向き表示の場合にｘ＜−０．６、左向き表示の場合にｙ＞０．６であるか否かを判断する（ステップＳ１５）。
【００８２】
上向き表示の場合にｘ＞０．６、右向き表示の場合にｙ＜−０．６、下向き表示の場合にｘ＜−０．６、左向き表示の場合にｙ＞０．６である場合には（ステップＳ１４の「Ｙｅｓ」）、制御部１００は、寝モバモードの右向きモードに移行する（ステップＳ１７）。
【００８３】
制御部１００は、寝モバモードの右向きモードでは、ノーマルモードに対して画面の回転角度のオフセットを９０度として、ｙ＜−０．７の場合は右向き表示に回転、ｘ＜−０．７の場合は下向き表示に回転、ｙ＞０．７の場合は左向き表示に回転、ｘ＞０．７の場合は上向き表示に回転する。続いて、制御部１００は、ｚ＞０．７であるか否かを判断し（ステップＳ１８）、ｚ＞０．７である場合には（ステップＳ１８の「Ｙｅｓ」）、ステップＳ１３に戻り、寝モバの準備モードに移行する。ｚ＞０．７でない場合には（ステップＳ１８の「Ｎｏ」）、制御部１００は、ｚ＜−０．３であるか否かを判断する（ステップＳ１９）。ｚ＜−０．３である場合には（ステップＳ１９の「Ｙｅｓ」）、ステップＳ１１に戻り、ノーマルモードに移行する。他方、ｚ＜−０．３でない場合には（ステップＳ１９の「Ｎｏ」）、ステップＳ１７に戻り、寝モバモードの右向きモードを維持する。
【００８４】
他方、上記ステップＳ１５において、上向き表示の場合にｘ＞０．６、右向き表示の場合にｙ＜−０．６、下向き表示の場合にｘ＜−０．６、左向き表示の場合にｙ＞０．６でない場合には（ステップＳ１５の「Ｎｏ」）、制御部１００は、上向き表示の場合にｘ＜−０．６、右向き表示の場合にｙ＞０．６、下向き表示の場合にｘ＞０．６、左向き表示の場合にｙ＜−０．６であるか否かを判断する（ステップＳ１６）。上向き表示の場合にｘ＜−０．６、右向き表示の場合にｙ＞０．６、下向き表示の場合にｘ＞０．６、左向き表示の場合にｙ＜−０．６でない場合には（ステップＳ１６の「Ｎｏ」）、ステップＳ１３に戻り、寝モバモードの準備モードを維持する。上向き表示の場合にｘ＜−０．６、右向き表示の場合にｙ＞０．６、下向き表示の場合にｘ＞０．６、左向き表示の場合にｙ＜−０．６である場合には（ステップＳ１６の「Ｙｅｓ」）、制御部１００は、寝モバモードの左向きモードに移行する（ステップＳ２０）。
【００８５】
制御部１００は、寝モバモードの左向きモードでは、ノーマルモードに対して回転のオフセットを２７０度として、ｙ＜−０．７の場合は左向き表示に回転、ｘ＜−０．７の場合は上向き表示に回転、ｙ＞０．７の場合は右向き表示に回転、ｘ＞０．７の場合は下向き表示に回転する。続いて、制御部１００は、ｚ＞０．７であるか否かを判断し（ステップＳ２１）、ｚ＞０．７である場合には（ステップＳ２１の「Ｙｅｓ」）ステップＳ１３に戻り、寝モバモードの準備モードに移行する。ｚ＞０．７でない場合には（ステップＳ２１の「Ｎｏ」）、制御部１００は、ｚ＜−０．３であるか否かを判断する（ステップＳ２２）。ｚ＜−０．３である場合には（ステップＳ２２の「Ｙｅｓ」）、ステップＳ１１に戻り、制御部１００は、ノーマルモードに移行する。他方、ｚ＜−０．３でない場合には（ステップＳ２２の「Ｎｏ」）、ステップＳ２０に戻り、寝モバモードの左向きモードを維持する。
【００８６】
図１１を参照して、上記１０のフローチャートに関して、ノーマルモードと寝モバモード間の状態遷移を説明する。図１１において、ノーマルモードにある場合に、制御部１００は、ｚ＞０．７となった場合は、画面が下向きであると判断して、寝モバモードの準備モードに移行する。この準備モードは、仰向けで寝ながら携帯型情報処理装置２０を使用する場合を想定している。
【００８７】
制御部１００は、寝モバモードの準備モードにおいて、上向き表示の場合にｘ＞０．６、右向き表示の場合にｙ＜−０．６、下向き表示の場合にｘ＜−０．６、左向き表示の場合にｙ＞０．６となった場合は（携帯型情報処理装置２０を右回りに回転させた場合）、寝モバモードの右向きモードに移行する。この右向きモードは、体を右向きにして寝たままで携帯型情報処理装置２０を使用する場合を想定している。
【００８８】
また、制御部１００は、寝モバモードの準備モードにおいて、上向き表示の場合にｘ＜−０．６、右向き表示の場合にｙ＞０．６、下向き表示の場合にｘ＞０．６、左向き表示の場合にｙ＜−０．６となった場合は（携帯型情報処理装置２０を左回りに回転させた場合）、寝モバモードの左向きモードに移行する。この左向きモードは、体を左向きにして寝たままで携帯型情報処理装置２０を使用する場合を想定している。
【００８９】
制御部１００は、右向きモード又は左向きモードにおいて、ｚ＞０．７となった場合は、準備モードに移行する。これは、ｚ＞０．７となり画面が下向きになった状態では、ユーザが体を右向き又は左向きにして寝たままで携帯型情報処理装置２０を使用する場合は考えにくいため、仰向けで使用することを想定して準備モードに移行することにしている。また、制御部１００は、寝モバモードにおいて、ｚ＜−０．３となった場合は、画面が上向きになったと判断して、ノーマルモードに移行する。
【００９０】
図１２−Ａ及び図１２−Ｂを参照して、上記図１０のフローチャートに関して、ノーマルモードと寝モバモードの画面の表示の回転を説明する。図１２−Ａにおいて、制御部１００は、ノーマルモードでは、ｙ＜−０．７の場合は上向き表示に回転、ｘ＜−０．７の場合は右向き表示に回転、ｙ＞０．７の場合は下向き表示に回転、ｘ＞０．７の場合は左向き表示に回転させる。寝モバモードの準備モードでは、画面表示を回転させない。これは、仰向けで寝ながら見ている場合は、一般にユーザは画面表示を回転させることを望まないためである。
【００９１】
寝モバモードの右向きモードでは、ノーマルモードに対して回転のオフセットを９０度として、ｙ＜−０．７の場合は右向き表示に回転、ｘ＜−０．７の場合は下向き表示に回転、ｙ＞０．７の場合は左向き表示に回転、ｘ＞０．７の場合は上向き表示に回転する。これにより、右向きモードでは、図１２−Ｂに示すように、体を右向きにして寝たままで携帯型情報処理装置２０を使用する場合に、タッチ表示部２２には、縦表示及び横表示に拘わらず、ユーザの頭を上とした方向に沿って情報が表示されるため、ユーザにとって見易い表示となる。
【００９２】
寝モバモードの左向きモードでは、ノーマルモードに対して回転のオフセットを２７０度として、ｙ＜−０．７の場合は左向き表示に回転、ｘ＜−０．７の場合は上向き表示に回転、ｙ＞０．７の場合は右向き表示に回転、ｘ＞０．７の場合は下向き表示に回転する。これにより、左向きモードでは、図１２−Ｂに示すように、体を左向きにして寝たままで携帯型情報処理装置２０を使用する場合に、タッチ表示部２２には、縦表示及び横表示に拘わらず、ユーザの頭を上とした方向に沿って情報が表示されるため、ユーザにとって見易い表示となる。
【符号の説明】
【００９３】
１  携帯型情報処理装置
１０  表示部
１２  検出手段
１３  制御手段
１４  ＵＩ通知手段
１５  カメラ
２０  携帯型情報処理装置
２１  筐体
２１Ａ  前面
２１Ｂ  背面
２２  タッチ表示部
２２Ａ  タッチセンサ
２２Ｂ  表示部
２３  カメラ
２４  加速度センサ
１００  制御部
１０１  メモリ
１０２  記憶部
１０３  通信部
１０４  電源部
【図１】
2017138843.tif 000003
【図２】
2017138843.tif 000004
【図３】
2017138843.tif 000005
【図４−Ａ】
2017138843.tif 000006
【図４−Ｂ】
2017138843.tif 000007
【図４−Ｃ】
2017138843.tif 000008
【図４−Ｄ】
2017138843.tif 000009
【図５】
2017138843.tif 000010
【図６】
2017138843.tif 000011
【図７】
2017138843.tif 000012
【図８】
2017138843.tif 000013
【図９−Ａ】
2017138843.tif 000014
【図９−Ｂ】
2017138843.tif 000015
【図１０】
2017138843.tif 000016
【図１１】
2017138843.tif 000017
【図１２−Ａ】
2017138843.tif 000018
【図１２−Ｂ】
2017138843.tif 000019
【図１３】
2017138843.tif 000020
【手続補正書】
【提出日】平成28年11月9日(2016.11.9)
【手続補正１】
【補正対象書類名】特許請求の範囲
【補正対象項目名】全文
【補正方法】変更
【補正の内容】
【特許請求の範囲】
【請求項１】
少なくとも一方の面側に設けられた表示部を備えると共に、前記表示部の画面の向きに応じて前記表示部の画面表示を回転させる画面回転機能を備えた携帯型情報処理装置であって、
前記表示部の画面の向きを検出する検出手段と、
前記表示部の画面表示の回転を制御する制御手段と、
を備え、
前記制御手段は、前記表示部の画面表示を回転させる第１の動作モードによる制御と、当該第１の動作モードとは異なる第２の動作モードによる制御と、を前記表示部の画面の向きに応じて選択的に実行し、
前記第２の動作モードは、所定の条件において前記表示部の画面表示の回転を行わない動作を実行する状態と、前記所定の条件とは異なる条件おいて前記表示部の画面表示の回転を前記第１の動作モードと異なるオフセットの角度で回転を実行する状態と、を含むことを特徴とする携帯型情報処理装置。
【請求項２】
前記制御手段は、前記検出手段で前記表示部の画面が所定の向きであると検出された場合に、前記第２の動作モードを実行することを特徴とする請求項１に記載の携帯型情報処理装置。 
【請求項３】
前記検出手段は、デカルト座標系において、前記表示部の画面に平行で、かつ、互いに直交する方向をそれぞれＸ、Ｙ軸方向とし、Ｘ軸方向及びＹ軸方向に直交する鉛直上向き方向をＺ軸方向とした場合に、Ｘ、Ｙ、Ｚ軸方向の加速度ｘ、ｙ、ｚを検出する加速度センサを含むことを特徴とする請求項１又は請求項２に記載の携帯型情報処理装置。 
【請求項４】
前記検出手段は、前記加速度ｚが所定値より大きくなった場合に、前記表示部の画面が前記所定の向きであると判定することを特徴とする請求項３に記載の携帯型情報処理装置。
【請求項５】
前記第２の動作モードでは、前記加速度ｘ、ｙが第１の範囲にある場合は、前記表示部の画面表示の回転を行なわず、前記加速度ｘ、ｙが第２の範囲にある場合は、前記第１の動作モードに対して、オフセットを９０度として前記表示部の画面表示の回転を行ない、前記加速度ｘ、ｙが第３の範囲にある場合は、前記第１の動作モードに対して、オフセットを２７０度として前記表示部の画面表示の回転を行なうことを特徴とする請求項３又は請求項４に記載の携帯型情報処理装置。 
【請求項６】
さらに、前記検出手段で前記表示部の画面が前記所定の向きであると検出された場合に、前記表示部の画面に、画面の向きが前記所定の向きである旨を表示するＵＩ通知手段を備えたことを特徴とする請求項１〜請求項５のいずれか１つに記載の携帯型情報処理装置。
【請求項７】
さらに、前記第２の動作モードを実行している場合に、前記表示部の画面に、前記第２の動作モードを実行している旨を表示するＵＩ通知手段を備えたことを特徴とする請求項１〜請求項６のいずれか１つに記載の携帯型情報処理装置。 
【請求項８】
さらに、付加機能部を備え、
前記制御手段は、前記付加機能部による付加機能の実行中である場合は、前記第２の動作モードを実行しないことを特徴とする請求項１〜請求項７のいずれか１つに記載の携帯型情報処理装置。 
【請求項９】
携帯型情報処理装置であって、
少なくとも一方の面側に設けられた表示部と、
前記表示部の画面表示を回転させる第１の動作モードによる制御と、当該第１の動作モードとは異なる回転動作で前記表示部の画面表示を回転させる第２の動作モードによる制御と、を選択的に実行する制御手段と、
を備え、
前記第２の動作モードは、所定の条件において前記表示部の画面表示の回転を行わない動作を実行する状態と、前記所定の条件とは異なる条件おいて前記表示部の画面表示の回転を前記第１の動作モードと異なるオフセットの角度で回転を実行する状態と、を含むことを特徴とする携帯型情報処理装置。 
【請求項１０】
前記制御手段は、前記第２の動作モードによる制御のユーザによる選択を受け付けたときに、前記第１の動作モードによる制御を禁止して、前記第２の動作モードによって前記表示部の画面表示を回転制御することを特徴とする請求項９に記載の携帯型情報処理装置。 
【請求項１１】
前記第２の動作モードによる制御を実行している場合に、前記第２の動作モードによって前記表示部の画面表示を回転制御している旨を前記表示部の画面に表示するＵＩ通知手段を備えたことを特徴とする請求項９又は請求項１０に記載の携帯型情報処理装置。 
【請求項１２】
少なくとも一方の面側に設けられた表示部を備えると共に、前記表示部の画面の向きに応じて前記表示部の画面表示を回転させる画面回転機能を備えた携帯型情報処理装置の表示制御方法であって、
前記表示部の画面の向きを検出する工程と、
前記表示部の画面表示の回転を制御する工程と、
を含み、
前記制御する工程では、前記表示部の画面表示を回転させる第１の動作モードによる制御と、当該第１の動作モードとは異なる第２の動作モードによる制御と、を前記表示部の画面の向きに応じて選択的に実行し、
前記第２の動作モードは、所定の条件において前記表示部の画面表示の回転を行わない動作を実行する状態と、前記所定の条件とは異なる条件おいて前記表示部の画面表示の回転を前記第１の動作モードと異なるオフセットの角度で回転を実行する状態と、を含むことを特徴とする携帯型情報処理装置の表示制御方法。
【請求項１３】
少なくとも一方の面側に設けられた表示部を備えると共に、前記表示部の画面の向きに応じて前記表示部の画面表示を回転させる画面回転機能を備えた携帯型情報処理装置に搭載されるプログラムであって、
前記表示部の画面の向きを検出する工程と、
前記表示部の画面表示の回転を制御する工程と、
をコンピュータに実行させ、
前記制御する工程では、前記表示部の画面表示を回転させる第１の動作モードによる制御と、当該第１の動作モードとは異なる第２の動作モードによる制御と、を前記表示部の画面の向きに応じて選択的に実行し、
前記第２の動作モードは、所定の条件において前記表示部の画面表示の回転を行わない動作を実行する状態と、前記所定の条件とは異なる条件おいて前記表示部の画面表示の回転を前記第１の動作モードと異なるオフセットの角度で回転を実行する状態と、を含むことを特徴とするコンピュータが実行可能なプログラム。